(57)【特許請求の範囲】
【請求項１】
フィラメント（１０Ｆ）に対する通電で発光する光源（１０）からの光線をフィルム支持部（ＮＣ）に支持された写真フィルム（１）のコマ画像に透過させ、この透過光からコマ画像の画像情報を取出してプリントを行う写真プリント装置であって、
前記光源（１０）から写真フィルム（１）に光線を導く光路に対して可視光線の透過を許すと共に、赤外線を拡散反射させる拡散反射面を形成した赤外線反射フィルター（Ｆ）を介装してあり、前記拡散反射面は、前記赤外線反射フィルター（Ｆ）の前記光源（１０）側に形成され、その断面形状が鋸歯状となるようにＶ字状の溝（２５Ｇ）を多数形成している写真プリント装置。
【請求項２】
前記赤外線反射フィルター（Ｆ）が、前記拡散反射面に赤外線反射膜（２６）を被覆したガラス板（２５）で構成されている請求項１記載の写真プリント装置。
【請求項３】
前記赤外線反射フィルター（Ｆ）が、前記光路に対して傾斜する姿勢で配置されている請求項１又は２記載の写真プリント装置。
【請求項４】
前記光源（１０）が、光線を写真フィルム（１）の側に反射させる金属製の反射鏡（１０Ｍ）を備えている請求項１〜３のいずれか１項に記載の写真プリント装置。
【発明の詳細な説明】
【０００１】
【発明の属する技術分野】
本発明は、フィラメントに対する通電で発光する光源からの光線をフィルム支持部に支持された写真フィルムのコマ画像に透過させ、この透過光からコマ画像の画像情報を取出してプリントを行う写真プリント装置に関し、詳しくは、光源から写真フィルムへの赤外線を除く技術の改良に関する。
【０００２】
【従来の技術】
上記の写真プリント装置の光源に係わる技術として特開平８‐４３９５９号公報に示されるものが存在し、この従来例にはガラス製の反射鏡（コールドミラー）を備えた光源や、光源からの光路中に赤外線反射板を配置し、反射された赤外線を光源の側に反射させて熱効率を向上させる光源等が記載されている。
【０００３】
【発明が解決しようとする課題】
しかし、耐熱性が低い写真フィルムを保護する面からも、光源から写真フィルムに送られる光線には赤外線を含まないことが望ましい。又、光源から写真フィルムのコマ画像に透過させた光線を光学レンズを介して印画紙に導いて投影露光する構造の写真プリント装置では、光線に含まれる赤外線が印画紙の発色に影響することもあり、これらの点から光源からの光線に含まれる赤外線を良好に取り除く技術が望まれている。特に、赤外線は熱エネルギーそのものであり、効率良く放熱できる点も望まれている。
本発明の目的は、光源からの光線に含まれる赤外線を無理なく取り除いて効率良く放熱し得る写真プリント装置を合理的に構成する点にある。
【０００４】
【課題を解決するための手段】
本発明の第１の特徴（請求項１）は冒頭に記載したように、フィラメントに対する通電で発光する光源からの光線をフィルム支持部に支持された写真フィルムのコマ画像に透過させ、この透過光からコマ画像の画像情報を取出してプリントを行う写真プリント装置において、前記光源から写真フィルムに光線を導く光路に対して可視光線の透過を許すと共に、赤外線を拡散反射させる拡散反射面を形成した赤外線反射フィルターを介装してあり、前記拡散反射面は、前記赤外線反射フィルターの前記光源側に形成され、その断面形状が鋸歯状となるようにＶ字状の溝を多数形成している点にあり、その作用、及び、効果は次の通りである。
【０００５】
本発明の第２の特徴（請求項２）は請求項１において、前記赤外線反射フィルターが、前記拡散反射面に赤外線反射膜を被覆したガラス板で構成されている点にあり、その作用、及び、効果は次の通りである。
【０００６】
本発明の第３の特徴（請求項３）は請求項１又は２において、前記赤外線反射フィルターが、前記光路に対して傾斜する姿勢で配置されている点にあり、その作用、及び、効果は次の通りである。
【０００７】
本発明の第４の特徴（請求項４）は請求項１〜３において、前記光源が、光線を写真フィルムの側に反射させる金属製の反射鏡を備えている点にあり、その作用、及び、効果は次の通りである。
【０００８】
〔作用〕
上記第１の特徴によると、光源からの光線は赤外線反射フィルターの光源側の拡散反射面で拡散反射されるので、写真フィルムに到達する赤外線の光量が低減され、又、赤外線反射フィルターにおいて溝を形成する反射面で横方向に赤外線を反射し、拡散させることにより反射された赤外線が装置の一部に集中する不都合を解消して広い面を介して放熱を行え、更に、可視光線はガラス板を透過する際、溝の部位での屈折で進路を変更されるものとなる。特に、この光線によって印画紙にコマ画像を投影露光してプリントを行うものでは印画紙に対する赤外線の影響を小さくして異常な発色を回避できるものとなる。
【０００９】
上記第２の特徴によると、ガラス板における拡散反射面を赤外線反射膜で被覆することにより、光源からの光線に含まれる赤外線は光源の方向に戻ることがない。
【００１０】
上記第３の特徴によると、赤外線反射フィルターが光路に対して傾斜する姿勢で配置されているので、拡散反射面で反射された赤外線が光源に方向に戻ることがないばかりか、赤外線を所望の方向に拡散反射させることで、局部的な温度上昇を回避しながら設定された位置から放熱を行うことも可能となる。
【００１１】
上記第４の特徴によると、光源に金属製の反射鏡が備えられるので全ての波長の光線を反射できるものとなり、ガラス材に金属被膜を形成した反射鏡のように金属被膜の劣化によって反射光線の色成分が変化する不都合を招くことがなく、ガラス材に金属被膜を形成した反射鏡を用いるより安価となる。
【００１２】
〔発明の効果〕
従って、光源からの光線に含まれる赤外線を無理なく取り除くと共に、効率良く放熱して良好なプリントを得る写真プリント装置が合理的に構成されたのである。又、ガラス板の簡単な成形と赤外線反射被膜の形成とによって、赤外線の拡散と可視光線の拡散透過とを同時に可能とするものとなり、赤外線を所望の方向に送り出して無理のない放熱を可能にし、光源からの光線の色成分を一定に維持し、かつ、安価な光源を用い得るものとなった。
【００１３】
【発明の実施の形態】
以下、本発明の実施の形態を図面に基づいて説明する。
図１には写真プリント装置が示され、この装置では現像済みのネガフィルム１（写真フィルムの一例）の画像コマの画像を印画紙２に投影露光する露光部を備えると共に、露光済みの印画紙２を現像する現像処理部３と、各部の作動を制御するようマイクロプロセッサ（図示せず）を有したコントローラ４とを備え、又、コントローラ４に各種の制御指示を入力する操作卓５と、各種情報を表示するモニター６とを備えている。
【００１４】
前記露光部はハロゲンランプで成る白色の光源１０からの光線を赤外線反射フィルターＦに送って光線中の赤外線を拡散反射させると共に、この赤外線反射フィルターＦを透過した可視光線の色バランスをシアン、マゼンタ、イエローの３色のフィルタを有した調光フィルター１１で調整し、このように色バランスが調整された光線をミラートンネル１２で均一に混色し、更に、ネガマスク１３を備えたネガキャリアＮＣ（フィルム支持部の一例）に送り、このネガキャリアＮＣに支持されたネガフィルム１のコマ画像を光学レンズ１４で取出し、シャッター１５の開放によって印画紙２に投影露光するよう構成されている。尚、図中のＬは光源１０から光学レンズ１４に対して光線を直線的に光線を送る光路を表している。
【００１５】
同図に示すように、ネガキャリアＮＣにはネガフィルム１を上下から挟み込んで搬送する複数ローラと１６、これら複数のローラ１６をタイミングベルトやギャを介して同期駆動する搬送モータ１７とを備えると共に、発光源１８からのネガフィルム１を透過した光線を受けるＣＣＤ型の情報センサ１９とを備えている。又、前記印画紙２はロール状の印画紙マガジン２Ｍから供給されるものであり、この供給系には印画紙２を送る複数のローラ２０とローラを駆動する供給モータ２１とを備えて構成されている。尚、情報センサ１９はネガフィルム１のコマ画像の情報を赤（Ｒ）、緑（Ｇ）、青（Ｂ）の３原色に色分解して取込むと共に、ネガフィルム１の側部に形成されたネガ番号や、バーコード情報を読取り得るよう構成されている。
【００１６】
そして、この写真プリント装置ではネガキャリアＮＣに対してネガフィルム１をセットしてプレスキャンを実行することで、コントローラ４が搬送モータ１７を駆動してネガフィルム１を連続的に搬送すると共に、この搬送時に情報センサ１９からの画像コマの濃度情報に基づいてシャッター１５の開放時間を設定し、又、情報センサ１９からのコマ画像の色調情報に基づいて調光フィルター１１による調光状態を設定するものとなっており、更に、このように設定された露光条件で印画紙２に投影露光し際に得られるプリントの状態をシミュレーションして夫々のコマ画像をモニター６に表示する処理を行うものとなっている。このプレスキャンを行った後には、このモニター６に表示されたコマ画像が適正であると判断できれば、そのままの露光条件でプリントを実行でき、又、補正が必要であると判断した場合には操作卓５から任意に露光条件を調整してプリントを行えるものとなっている。
【００１７】
以上の構成は、従来からの写真プリント装置と基本的に変わるところが無く、本発明では前記赤外線反射フィルターＦに特徴を有するものとなっている。つまり、図２，図３、図４に示すように光源１０に備えた凹面状の反射鏡１０Ｍに金属製、あるいは、耐熱性の樹脂製の素材を用い、この内面に回転放物面となる反射面をクロム鍍金等により形成し、この回転放物面の焦点に光源１０のフィラメント１０Ｆを位置させてある。この赤外線反射フィルターＦは板状で略正方形の透明のガラス板２５の一方の表面に対して図４に示す如く、ガラス板２５の一辺に傾斜する姿勢でＶ字状の溝２５Ｇを平行姿勢で多数形成することで、ガラス板２５の断面形状を鋸歯状に成形し、この表面に真空蒸着により赤外線反射膜２６を形成することで赤外線を拡散反射させる拡散反射面を形成し、この拡散反射面を光源１０の側に対向させてある。
【００１８】
このように赤外線反射フィルターＦを構成したので、光源１０からの光線に含まれる赤外線を拡散反射面で図３に破線で示す方向に拡散して反射させ、可視光線だけを同図に実線で示す如く透過させるものとなり、この結果、ネガフィルム１や印画紙２に到達する赤外線を低減し温度上昇を伴うことなく可視光線によるネガフィルム１の照射や、印画紙２への投影露光を行えるものとなっている。又、この赤外線反射フィルターＦでは赤外線を拡散反射させるので反射された赤外線が装置の一部に集中する不都合を解消して広い面を介して放熱を行えるものとなる。具体的には図３に示したＬ１，Ｌ２，Ｌ３は反射鏡１０Ｍで反射された平行光線を表し、Ｌ４，Ｌ５は光源１０から直接射し込む光線を表しており、これらの光線の経路から容易に判別できるように、反射鏡１０Ｍで反射された平行光線Ｌ１，Ｌ２，Ｌ３に含まれる赤外線は赤外線反射皮膜２６で大きく横方向に反射され、この平行光線Ｌ１，Ｌ２，Ｌ３に含まれる可視光線はガラス板２５を透過する際に溝２５Ｇの部位での屈折で進路を変更され拡散する結果、拡散板を用いたように光量の分布を平均化させ得るものとなっている。又、光源１０から直接赤外線反射フィルターＦに射し込む光線Ｌ４，Ｌ５に含まれる赤外線は平行光線でないため赤外線反射膜２６で乱反射に近い状態で反射され、この光線Ｌ４，Ｌ５に含まれる可視光線はガラス板２５を透過する際に溝２５Ｇの部位での屈折で進路を変更され、平行光線より大きく拡散して光量の分布を平均化させ得るものとなっている。
【００１９】
特に、光源に金属製、あるいは、耐熱性の樹脂製の反射鏡１０Ｍが備えられるので、この反射鏡１０Ｍにガラス製のものに金属被膜を形成したものを用いたもののように、コスト上昇を招くことがなく安価で、しかも、金属被膜の劣化による可視光線の色成分が変化することもない。
【００２０】
〔別実施の形態〕
本発明は上記実施の形態以外に、例えば、以下のように構成することも可能である。尚、この別実施の形態において前記実施の形態と同じ機能を有するもには実施の形態と共通する番号、符号を付している。
【００２２】
（イ）図５（イ）に示すように、赤外線反射フィルターＦを、その板面を光路Ｌに対して４５度程度傾斜させて配置することで、拡散反射された赤外線を一側方に向かわせるよう構成する。このように構成した場合には、赤外線が反射される側に放熱板を配置することや、放熱用のファンを配置することで効率の良い冷却を可能にするものとなる。
【００２３】
（ロ）図５（ロ・ａ）に示すように、前記実施の形態の溝２５Ｇと直交する方向にも多数の溝２５Ｇを形成する。図５（ロ・ｂ）に示すように、ガラス材２５の一辺と平行となる姿勢に多数の溝２５Ｇを形成する。図５（ロ・ｃ）に示すように、図５（ロ・ｂ）の溝２５Ｇと直交する方向にも多数の溝２５Ｇを形成する。図５（ロ・ｄ）示すように、光路Ｌを略中心とする同芯状に多数の溝２５Ｇを形成する。
【００２４】
（ニ）本発明は、写真フィルムのコマ画像を透過した光線に含まれる画像情報をＣＣＤイメージセンサ等で光電変換して取出し、このように取出した電気信号を光情報に変換して印画紙に露光する構造の写真プリント装置の光源に適用することも可能である。
【図面の簡単な説明】
【図１】写真プリント装置の概略構成図
【図２】光源と赤外線反射フィルターとの配置を示す断面図
【図３】赤外線反射フィルターの拡大断面図
【図４】赤外線反射フィルターの平面図
【図５】別実施の形態（イ）の光源と赤外線反射フィルターとの配置を示す断面図、及び、別実施の形態（ロ）の赤外線反射フィルターの平面図
【符号の説明】
１        写真フィルム
１０      光源
１０Ｆ    フィラメント
１０Ｍ    反射鏡
２５      ガラス板
２５Ｇ    溝
２６      赤外線反射膜
Ｆ        赤外線反射フィルター
ＮＣ      フィルム支持部
【図１】
0003611089.tif 000002
【図２】
0003611089.tif 000003
【図３】
0003611089.tif 000004
【図４】
0003611089.tif 000005
【図５】
0003611089.tif 000006